(57)【要約】  【課題】  複数の情報層を有するディスクの起動時に最適化処理を行うことを前提とし、最適化処理に要する時間を短縮し、ディスク起動時間を最小限に抑える。  【解決手段】  第１層のイコライザ特性最適化処理の後、前記最適化処理で最適化されたイコライザ設定情報をメモリ２５に記憶させる。第２層の最適化処理を行う際、メモリ２５から読み出した前記イコライザ設定情報に基づき第２層の情報信号の周波数特性を変更し、ジッタ検出をする。検出したジッタとジッタ基準値とを比較手段３４で比較し、ジッタがジッタ基準値を超える場合は最適化処理を実行する。ジッタがジッタ基準値を超えない場合は、最適化処理を行わず、前記イコライザ設定情報に基づいた情報信号を出力する。【選択図】  図２
2006331609.tif 000002
【特許請求の範囲】
【請求項１】
少なくとも第１及び第２の情報層を備えた情報媒体から、第１及び第２の情報信号を読み取り、読み取った情報信号のイコライザ特性を最適化処理する情報再生装置であって、
前記第１の情報信号の処理経路における周波数特性を、イコライザ設定に基づき変更する第１のイコライザ特性設定手段と、
前記第１のイコライザ特性設定手段から出力される第１の情報信号のジッタを検出する第１の信号品質検出手段と、
前記第１の信号品質検出手段で検出されたジッタが小さくなるように、前記第１のイコライザ特性設定手段のイコライザ設定を変更するよう制御するとともに、前記ジッタが最小となった時のイコライザ設定情報を出力する第１のイコライザ特性最適化手段と、
前記第１のイコライザ特性設定手段から出力される前記イコライザ設定情報と、ジッタ基準値とを記憶する記憶手段と、
前記第２の情報信号の処理経路における周波数特性を、イコライザ設定に基づき変更する第２のイコライザ特性設定手段と、
前記第２のイコライザ特性設定手段から出力される第２の情報信号のジッタを検出する第２の信号品質検出手段と、
前記第２の信号品質検出手段で検出されたジッタと、前記記憶手段に記憶されたジッタ基準値とを比較する比較手段と、
前記比較手段による比較の結果、前記ジッタが前記ジッタ基準値を超えた場合、ジッタが小さくなるように、前記第２のイコライザ特性設定手段のイコライザ設定を変更するよう制御する第２のイコライザ特性最適化手段とを備え、
前記第２のイコライザ特性最適化手段は、前記比較手段による比較の結果、前記ジッタが前記ジッタ基準値を超えなかった場合は、最適化処理を終了するよう制御することを特徴とするイコライザ特性設定装置。
【請求項２】
前記第１の情報層は、最初にサーボを引き込んだ層である請求項１記載のイコライザ特性設定装置。
【請求項３】
前記第２の情報信号のイコライザ設定の初期値は、前記イコライザ最適値である請求項１記載のイコライザ特性設定装置。
【請求項４】
前記第１及び第２の信号品質検出手段は、前記第１及び第２の情報信号のエラーレートを検出する請求項１記載のイコライザ特性設定装置。
【発明の詳細な説明】
【技術分野】
【０００１】
本発明は、少なくとも２層以上の情報層に記録された情報を有する情報媒体（以下、ディスクと略称する。）の情報信号を再生する情報再生装置または情報記録再生装置に適用して有効なイコライザ特性設定装置に関するものである。
【背景技術】
【０００２】
一般に、この種の情報再生装置や情報記録再生装置では、光ヘッドのトラッキング制御とフォーカス制御が行われ、記録時及び再生時にデータを正確に書き込み、また読み出すようにしている。かかる制御はいわゆるサーボ制御回路により光ヘッドを制御することにより行われている。光ヘッドのトラッキング制御に用いるトラッキングエラー信号を生成する方法としては、３ビーム法と位相差法が一般的に実用されている。ディスク状の光記録媒体としては種々のものが開発されているが、直径１２ｃｍのディスクとしては、いわゆるＣＤ（コンパクトディスク）の他にＣＤ−ＲＯＭ、ＤＶＤ（デジタルバーサタイルディスク）などが実用化されている。
【０００３】
これらの光記録媒体の中で、ＤＶＤは信号記録密度が高い。ＤＶＤの記録信号を光ヘッドで読み出して得られるＥＦＭ＋再生信号の３Ｔから１４Ｔまでの波長の信号中、３Ｔの波長の信号の再生振幅は１４Ｔの波長の信号の再生振幅の２５％程度になる。そこで、波形等価イコライザにより、ディスクからの情報信号のイコライザ特性を、ジッタやエラー訂正数が最小となるように最適化して信号品質の良い情報信号を得ることにより安定な再生を実現している。すなわち、高域信号の周波数特性を持ち上げて、信号のジッタを改善している。以下、このジッタ改善のための処理を、最適化処理と呼ぶ。
【０００４】
従来では、このような最適化処理を、ディスク起動時（装置本体の電源投入から記録再生待機状態に至るまでの間）に行うことが一般的である。しかし、ＤＶＤ−ＲやＤＶＤ−ＲＯＭなどのように、１枚の情報媒体において情報層が複数層ある場合には、各情報層の製造バラツキや外的要因により特性が異なることが多いため、各層毎にサーボ制御や再生信号などの最適化処理を行う必要があり、ディスクの起動に時間を要するという問題が生じる。すなわち、情報媒体の情報層の層数に比例して最適化処理の時間が必要になってしまうのである。
【０００５】
以下、従来のイコライザ特性設定装置における最適化方法について説明する。図５はイコライザ特性設定装置の構成を示すブロック図である。図において、１０１はディスクで、第１及び第２の情報層１０１ａ及び１０１ｂを有する。１０２はピックアップで、ディスク１０１の第１の情報層１０１ａまたは第２の情報層１０１ｂにアクセスして、情報を読み出すものである。読み出した情報は電気信号として出力される。
【０００６】
１０３はイコライザ特性設定手段であり、ピックアップ１０２から出力される電気信号（ＲＦ信号）のイコライザ特性を設定する。具体的には、電気信号のブースト量を上げたり、カットオフ周波数を変更する等の処理を行って、電気信号のジッタを小さくする。
【０００７】
１０４は信号品質検出手段であり、イコライザ特性設定手段１０３から出力される電気信号のジッタを検出するものである。検出されたジッタは、ジッタ値として出力する。
【０００８】
１０５はイコライザ特性最適化手段であり、信号品質検出手段１０４から出力されるジッタ値に基づきイコライザの値を設定し、イコライザ特性設定手段１０３に出力する、具体的には、入力されるジッタ値が小さくなるように、イコライザの設定値を最適化して、その最適値をイコライザ特性設定手段１０３へ出力するものである。
【０００９】
以上のように構成された従来のイコライザ特性設定装置について、以下その動作について説明する。
【００１０】
まず、本装置の起動時（すなわち、電源投入時やディスク装填時など）、回転するディスク１０１に対して、ピックアップ１０２が光ビームを照射し、ディスク１０１の情報層を反射した反射光をピックアップ１０２で受光する。なお、この時の情報層としては、第１の情報層１０１ａでも第２の情報層１０１ｂでも構わないが、例として第１の情報層１０１ａとする。
【００１１】
ピックアップ１０２では受光した反射光を電気信号に変換して、イコライザ特性設定手段１０３へ出力する。イコライザ特性設定手段１０３では、入力される電気信号に対して、所定のイコライザ設定値によりその周波数特性を変える。現時点では、予め設定されているイコライザ初期値により、周波数特性を変える。周波数特性が変更された電気信号は、信号品質検出手段１０４へ出力する。
【００１２】
信号品質検出手段１０４では、入力される電気信号のジッタを検出する。検出したジッタに基づきジッタ値を算出して、ジッタ値をイコライザ特性最適化手段１０５へ出力する。
【００１３】
イコライザ特性最適化手段１０５では、入力されるジッタ値が小さくなるように、イコライザ特性を設定する。具体的には、カットオフ周波数の値や、ブースト量の値などを変更する。変更されたイコライザ特性の情報は、イコライザ特性設定手段１０３へ出力する。
【００１４】
イコライザ特性設定手段１０３は、イコライザ特性最適化手段１０５から出力されるイコライザ特性の情報によりイコライザ設定して、電気信号の周波数特性を変化させる。
【００１５】
上記処理を、信号品質検出手段１０４で検出されるジッタ値が最小になるまで実行する。ジッタ値が最小になった時の電気信号を、第１層の最適化信号として出力する。
【００１６】
次に、ディスク１０１の第２層１０１ｂの電気信号を最適化するには、上記第１層の最適化処理と同様の手順にて行う。
【００１７】
このように、従来の最適化処理は、ディスク起動時に第１層および第２層の最適化処理を、それぞれ同じ手順で行っている。
【００１８】
また、最適化処理の他の構成として特許文献１に開示されたものがある。特許文献１の構成は、ディスクの起動時に最適化処理を行わず、ディスク再生時に再生する層について最適化処理を行っている。具体的には、第１層の再生命令をした時に、第１層の最適化処理を実行してから、第１層の再生動作に移行する。次に、第１層の再生中に、第２層の最適化処理を実行する。
【特許文献１】特開平１０−１３４３７５号公報
【発明の開示】
【発明が解決しようとする課題】
【００１９】
しかしながら上記従来の構成は、第１層と第２層について同じ処理内容の最適化処理を行っているため、最適化処理に時間がかかってしまうという問題点がある。すなわち、情報層の数に比例して最適化処理に要する時間が増えてしまうことになり、ディスク起動時間が長くなってしまう。
【００２０】
また、特許文献１に開示された構成では、再生動作と最適化処理とを同時に行っているため、ピックアップなどの読み取り手段を第１層と第２層に対して頻繁にアクセスさせる必要があるため、サーボ制御が複雑になり、誤動作が生じる可能性があるという問題点があった。
【００２１】
本発明は上記問題点に鑑み、最適化処理に要する時間を短縮し、ディスク起動時間を最小限に抑えることができるイコライザ特性設定装置を提供するものである。
【課題を解決するための手段】
【００２２】
上記課題を解決するために本発明のイコライザ特性設定装置は、少なくとも第１及び第２の情報層を備えた情報媒体から、第１及び第２の情報信号を読み取り、読み取った情報信号のイコライザ特性を最適化処理する情報再生装置であって、前記第１の情報信号の処理経路における周波数特性を、イコライザ設定に基づき変更する第１のイコライザ特性設定手段と、前記第１のイコライザ特性設定手段から出力される第１の情報信号のジッタを検出する第１の信号品質検出手段と、前記第１の信号品質検出手段で検出されたジッタが小さくなるように、前記第１のイコライザ特性設定手段のイコライザ設定を変更するよう制御するとともに、前記ジッタが最小となった時のイコライザ設定情報を出力する第１のイコライザ特性最適化手段と、前記第１のイコライザ特性設定手段から出力される前記イコライザ設定情報と、ジッタ基準値とを記憶する記憶手段と、前記第２の情報信号の処理経路における周波数特性を、イコライザ設定に基づき変更する第２のイコライザ特性設定手段と、前記第２のイコライザ特性設定手段から出力される第２の情報信号のジッタを検出する第２の信号品質検出手段と、前記第２の信号品質検出手段で検出されたジッタと、前記記憶手段に記憶されたジッタ基準値とを比較する比較手段と、前記比較手段による比較の結果、前記ジッタが前記ジッタ基準値を超えた場合、ジッタが小さくなるように、前記第２のイコライザ特性設定手段のイコライザ設定を変更するよう制御する第２のイコライザ特性最適化手段とを備え、前記第２のイコライザ特性最適化手段は、前記比較手段による比較の結果、前記ジッタが前記ジッタ基準値を超えなかった場合は、最適化処理を終了するよう制御するものである。
【発明の効果】
【００２３】
以上のように本発明によれば、情報層が２層以上の複数層ある場合であっても、ディスク起動時間を最小限に抑えて、イコライザ特性を最適化した再生信号を得ることができる。
【発明を実施するための最良の形態】
【００２４】
本発明のイコライザ特性設定装置において、前記第１の情報層は、始めにサーボを引き込んだ層である構成とすることができる。
【００２５】
また、前記第２の情報信号のイコライザ設定の初期値は、前記イコライザ最適値である構成とすることができる。
【００２６】
また、前記第１及び第２の信号品質検出手段は、前記第１及び第２の情報信号のエラーレートを検出する構成とすることができる。
【００２７】
以下本発明の実施の形態について、図面を参照して説明する。
【００２８】
（実施の形態１）
図１は、本発明の実施の形態１におけるイコライザ特性設定装置を用いた情報再生装置の構成を示すブロック図で、一般的なＤＶＤプレーヤの再生信号処理系の構成に相当する。図２は、信号補正部４の詳細構成を示すブロック図である。
【００２９】
図１において、１はディスクである。ディスク１は、映像や音声などの各種情報が記録される情報媒体である。ディスク１には、複数層の積層構造からなる情報層を備えており、本実施の形態では第１の情報層１ａと第２の情報層１ｂからなる２層の情報層を備えている。なお、情報媒体の一例として、本実施の形態では、ＤＶＤ（デジタルバーサタイルディスク）などの光学式情報媒体としたが、光学式に限定されるものではない。また、本実施の形態では、読み出し専用の情報媒体であるＤＶＤ−ＲＯＭを例としているが、記録型の情報媒体であっても構わない。
【００３０】
すなわち、本発明に供される複数層の情報層は、ユーザ情報信号を基板にピット（あるいはエンボス等とも称される）として形成した上にアルミニウム等の反射層を形成した再生専用型、トラックと称される案内溝を形成した基板にＡｇ−Ｉｎ系やＧｅ−Ｓｂ−Ｔｅ系等の結晶質と非晶質との間で可逆的光学活性な相変化を生起する書換可能記録型、または案内溝を形成した基板にアゾ系、シアニン系等の有機色素を備えた追記記録型の何れであってもよい。
【００３１】
２はピックアップである。ピックアップ２は、ディスク１に照射され反射した光ビームを受光して、ディスク１の情報層に記録された情報を、電気信号（情報信号）で読み出すものである。なお、本実施の形態におけるピックアップには、光ビームを出射するレーザーダイオードも備えている。レーザーダイオードがディスク１の情報層に光ビームを照射し、その反射光に基づいてディスク１に記録された光学的情報を再生した電気信号と、フォーカスエラー信号とトラッキングエラー信号とを出力する。
【００３２】
アンプ３は、光ピックアップ２で読み出したＲＦ信号を増幅するものである。
【００３３】
信号補正部４は、アンプ３で増幅された情報信号のジッタを検出して、そのジッタが最小になるように信号特性を調整する。本実施の形態では情報信号のジッタを検出する構成としたが、エラーレートを検出してそのエラーレートが最小になるように信号特性を調整する構成であっても構わない。なお、信号補正部４の詳細な構成については後述する。
【００３４】
５はアナログデジタル変換部（以下、ＡＤＣと記す）である。ＡＤＣ５は、信号補正部４によって補正されたＲＦ信号（アナログ信号）をデジタル信号に変換し、２値化された信号を出力する。
【００３５】
７は位相同期ループ部（以下、ＰＬＬと記す）である。ＰＬＬ７は、ＡＤＣ５からのデジタル信号に含まれる同期信号に基づいて、再生クロックを生成する。
【００３６】
復調部６は、ＡＤＣ５からのデジタル信号を復調処理し、再生信号として出力する。復調部６では、ディスク１に記録された情報信号の変調方式に対応した復調処理が行われ、例えば８／１６変調に対する復調処理などが行われる。なお、復調部６はＰＬＬ部７で生成される再生クロックに同期して、復調動作する。
【００３７】
エラー訂正部８は、復調部６で復調された再生信号の符号誤りを検出し、その符号誤りに対してエラー訂正処理を行う。エラーレート検出部１０は、エラー訂正部８において発生したエラー数をエラーレートとして検出する。
【００３８】
９はデジタルアナログ変換部（以下、ＤＡＣと記す）である。エラー訂正部８でエラー訂正された再生信号（デジタル信号）をアナログ信号に変換する。
【００３９】
再生信号メモリ１１は、ＤＡＣ９でアナログ信号に変換された再生信号を一時保存する。この再生メモリ１１から出力される再生信号が、本装置に外部接続されたテレビジョン受像機などの表示装置へ出力され、映出される。
【００４０】
以上のように構成された情報再生装置について、以下その動作について説明する。
【００４１】
まず、ＤＶＤプレーヤーの基本動作の一つである、起動動作について説明する。
【００４２】
最初にＤＶＤプレーヤーを電源投入し、ディスク１をＤＶＤプレーヤー内に装填する。すると、ディスク１はターンテーブルなどから構成されるローディング機構（図示せず）により、所定回転数にて回転駆動される。次に、回転しているディスク１の情報層に対して、ピックアップ２におけるレーザダイオードが光ビームを照射する。ディスク１の情報層を反射した光ビームをピックアップ２で受光し、フォーカスエラー信号およびトラッキングエラー信号として出力する。出力されるフォーカスエラー信号に基づきフォーカス調整を行い、トラッキングエラー信号に基づきトラッキング調整を行う。なお、フォーカス／トラッキング調整の制御を行う手段はＤＶＤプレーヤー内に別途設けられている（図示せず）。本実施の形態では、２層の光ディスクを用いているので、第１の情報層１ａと第２の情報層１ｂの両方の情報層について、フォーカス／トラッキング調整を行う。
【００４３】
次に、ピックアップ２からの電気信号をアンプ３で増幅し、信号補正部４に入力する。信号補正部では、第１及び第２の情報層１ａ及び１ｂの各層について、信号のジッタを検出し、そのジッタが最小になるようにイコライザ調整などの信号補正を行う。詳しい動作については後述する。
【００４４】
次に、ディスク１のリードインエリア（またはリードアウトエリア）に記録されている制御信号やＴＯＣ（Table of Contents）を読み出す。次に、読み出した制御信号やＴＯＣに基づき、タイトル画面やメニュー画面などの初期画面を装置内部で生成し、本装置に接続されたテレビジョン受像機などの表示装置に表示させる。なお、ＴＯＣ情報の読み出しから初期画面表示までのプロセスについては説明を省略する。以上の動作により起動動作が終了し、ディスク１の再生が可能な状態となる。
【００４５】
次に、ディスク１の再生動作について説明する。
【００４６】
上記の起動動作が終了し、使用者がＤＶＤプレーヤーを操作して再生命令を行うと、ローディング機構がディスク１を所定回転数にて回転させる。次に、ピックアップ２におけるレーザーダイオードが、ディスク１の情報層における所定のトラックに対して光ビームを照射し、情報層を反射した光ビームをピックアップ２で受光する。ビックップ２では受光した光ビームを電気信号に変換して出力する。
【００４７】
次に、ピックアップ２から出力される電気信号は、アンプ３で増幅され、信号補正部４に入力される。信号補正部４では、起動動作時に求めた最適なイコライザに設定して、アンプ３から入力される電気信号を補正する。補正された電気信号はＡＤＣ５に入力されて、アナログ信号からデジタル信号に変換される。変換されたデジタル信号は復調部６で映像信号に復調される。この復調部６における復調動作は、ＰＬＬ７からの同期信号に基づいて行われる。復調された映像信号はエラー訂正部８に入力されて、映像信号中の符号誤りを検出し、その符号誤りに対してエラー訂正処理を行う。エラー訂正部８から出力される映像信号は、ＤＡＣ９でアナログ信号に変換されて再生信号メモリ１１に入力される。再生信号メモリ１１は、別途設けられた制御回路（図示せず）により、その書き込みおよび読み出しの速度やタイミングが制御され、少なくとも読み出し速度が書き込み速度を上回らないように制御されている。これは、読み出し速度が書き込み速度を上回ると、再生信号が途切れる可能性があるためである。再生信号メモリ１１から読み出された映像信号は、本装置から出力されて、外部接続されたテレビジョン受像機などの表示装置にて映出される。
【００４８】
次に、信号補正部４について詳述する。
【００４９】
図２において、二重線矢印はディスク１の情報層から読み出された電気信号の流れを示し、実線矢印は制御信号等の流れを示している。
【００５０】
４０は入力端子で、アンプ３からの電気信号が入力されるものである。４１は出力端子である。出力端子４１は、第１のイコライザ特性設定手段２１または第２のイコライザ特性設定手段３１からの信号が出力されるものである。
【００５１】
第１のイコライザ特性設定手段２１は、入力端子４０から入力される、ディスク１の第１層の電気信号の特性を設定するものである。設定する要素としては、カットオフ周波数やブースト量である。図４は電気信号の周波数特性の一例を示す特性図であり、横軸が周波数、縦軸が電気信号のゲイン値である。図において、ｆｃがカットオフ周波数、ｆｂがブーストする周波数、ＲＦ１はディスク１から読み出した状態の電気信号の特性、ＲＦ２は１回目のイコライザ特性設定後の特性、ＲＦ３はｎ回目のイコライザ特性設定後の特性を示している。第１のイコライザ特性設定手段２１において、ブースト量を上げるようにイコライザ設定すると、図４の周波数ｆｂにおけるゲイン値を上昇させることができる。また、カットオフ周波数を変更するようにイコライザ特性を設定すると、図４の周波数ｆｃを横軸方向に変位させることができる。
【００５２】
ここで、「第１層」とは、ディスク１に対して、最初にサーボを引き込んだ情報層に相当するものである。例えば、ディスク１に対して最初に第２の情報層１ｂについてサーボを引き込んだ場合は、第２の情報層１ｂが「第１層」に該当する。次に第１の情報層１ａについてサーボを引き込んだ場合は、第１の情報層１ａが「第２層」に該当する。
【００５３】
第１の信号品質検出手段２２は、第１のイコライザ特性設定手段２１で特性が調整された電気信号が入力され、その電気信号におけるジッタ値を求めるものである。
【００５４】
第１のイコライザ特性最適化手段２３は、第１の信号品質検出手段２２から出力されるジッタ値に基づき、第１のイコライザ特性設定手段２１に対するイコライザ特性を設定する。第１のイコライザ特性最適化手段２３における設定値は、初期値を段階的に定量変化させることで設定している。すなわち、初期値の設定を基準に、ブースト量およびカットオフ周波数を一定量変化させて１回目の設定値としている。次に、１回目の設定値を基準に、ブースト量およびカットオフ周波数を一定量変化させて２回目の設定値とする。なお、本実施の形態ではイコライザ設定値を段階的に定量変化させる構成としたが、複数のイコライザ設定値（ブースト量やカットオフ周波数の値など）を予め用意しておき、ジッタ値によって複数のイコライザ設定値の中から、最適なイコライザ設定値を選択する構成としてもよい。
【００５５】
第１のイコライザ制御手段２０は、第１のイコライザ特性設定手段２１と第１の信号品質検出手段２２と第１のイコライザ特性最適化手段２３とから構成される。
【００５６】
学習済みフラグ変更手段２４は、第１のイコライザ特性設定手段２１において、イコライザ設定の学習が行われるとメモリ２５（後述）に保存してある学習済みフラグを「未学習」（例えば「０」）から「学習済」（例えば「１」）に変更する。
【００５７】
メモリ２５は、学習済みフラグとイコライザ初期値（以下、初期値と記す）とイコライザ最適値（以下、最適値と記す）とジッタ基準値とを保存する記憶手段である。
【００５８】
学習済みフラグ確認手段２６は、メモリ２５から学習済みフラグを読み出し、フラグの設定に基づき学習済みかどうかを確認するものである。その確認結果は第１のイコライザ特性設定手段２１に出力される。
【００５９】
第２のイコライザ制御手段３０は、第２のイコライザ特性設定手段３１と第２の信号品質検出手段３２と第２のイコライザ特性最適化手段３３と比較手段３４と最適化要否制御部３５（いずれも後述）とから構成される。
【００６０】
第２のイコライザ特性設定手段３１は、入力端子４０から入力される、ディスク１の第２層の電気信号の特性を設定するものである。設定する要素としては、カットオフ周波数やブースト量である。具体的な設定動作については、前述の第１のイコライザ特性設定手段２１と同様であるので、説明は省略する。また、第２のイコライザ特性設定手段３１は、学習済みフラグ確認手段２６から学習済みフラグの情報を入力し、学習済みであればメモリ２５からイコライザ最適値を入力する。学習されていなければイコライザ設定の最適化学習を開始する。
【００６１】
第２の信号品質検出手段３２は、第２のイコライザ特性設定手段３１から出力されるイコライザ特性変更済みの電気信号を入力し、そのジッタ値を求める。
【００６２】
第２のイコライザ特性最適化手段３３は、第２の信号品質検出手段３２から出力されるジッタ値に基づき、第２のイコライザ特性設定手段３１に対するイコライザ特性を設定する。第２のイコライザ特性最適化手段３３における設定値は、初期値を段階的に定量変化させることで設定値を設定している。なお、具体的なイコライザ特性の設定方法については、前述の第１のイコライザ特性最適化手段２３の動作を同様であるので、説明は省略する。
【００６３】
比較手段３４は、第２の信号品質検出手段３２で演算されたジッタ値と、メモリ２５から読み出されるジッタ基準値とを比較するものである。
【００６４】
最適化要否制御部３５は、比較手段３４における比較の結果、ジッタ値がジッタ基準値よりも低い場合は、第２のイコライザ特性設定手段３１に対して最適化不要命令を行い、ジッタ値がジッタ基準値よりも高い場合は、第２のイコライザ特性最適化手段３３に対して最適化命令を行う。
【００６５】
制御手段２７は、第１及び第２のイコライザ制御手段２０及び３０と学習済みフラグ確認手段２６とを制御する。
【００６６】
以上のように構成された信号補正部について、以下イコライザ設定動作について、図３のフローチャートを交えて説明する。
【００６７】
入力端子４０には、ディスク１の各層から読み出された電気信号が入力される。具体的には、図１のアンプ３から出力される電気信号が入力される。入力された電気信号が、ディスク１の第１層から読み出された電気信号の場合は、第１のイコライザ特性設定手段２１に入力され、ディスク１の第２層から読み出された電気信号の場合は、第２のイコライザ特性設定手段３１へ入力される。なお、ディスク１の第１層と第１のイコライザ制御手段２０との対応付け、第２層と第２のイコライザ制御手段３０との対応付けについては、制御手段２７によって行われている。制御手段２７は、ディスク１における最初にアクセスした情報層（第１層）から読み出した情報を、第１のイコライザ特性設定手段２１に入力させるよう制御し、次にアクセスした情報層（第２層）から読み出した情報を、第２のイコライザ特性設定手段３１に入力させるよう制御する。
【００６８】
まず、第１層の最適化処理について説明する。なお、第１層の最適化処理は、ディスク起動時に実行される。
【００６９】
第１層の最適化学習を行う際、第１層が学習済みかどうかの確認を行う（図３のステップＳ１）。具体的には、制御手段２７からの制御により学習済みフラグ確認手段２６がメモリ２５に保存されている学習済みフラグの状態を確認し、その確認結果を第１のイコライザ特性設定手段２１へ出力する。第１のイコライザ特性設定手段２１では、学習済みフラグが立っている場合は、第１層について最適化学習を行う必要はないので、第２層の最適化学習に移行するが、学習済みフラグが立っていない場合は、最適化学習を開始する。学習済みフラグは、装置本体の電源をＯＦＦにしたり、ディスクを装置本体から取り出したりするとリセットされてしまうので、通常ディスク装填直後はフラグは立っていない。
【００７０】
次に、ピックアップ２でディスク１の第１層から情報を読み出し、電気信号として入力端子４０に入力される（ステップＳ１１）。次に、メモリ２５からイコライザ初期値を読み出し、第１のイコライザ特性設定手段２１でイコライザ設定をする（ステップＳ１２）。第１のイコライザ特性設定手段２１では、設定されたイコライザ設定（初期値）に基づき、特性が変更された電気信号を第１の信号品質検出手段２２へ出力する。
【００７１】
第１の信号品質検出手段２２においては、入力される電気信号のジッタ値を演算する（ステップＳ１３）。算出されたジッタ値は、第１の信号品質情報として出力される。
【００７２】
第１の信号品質情報は第１のイコライザ特性最適化手段２３に入力される。第１のイコライザ特性最適化手段２３は、第１の信号品質情報に基づいてイコライザ特性を変更し、「設定値」として第１のイコライザ特性設定手段２１に出力する（ステップＳ１４）。なお、「設定値」の設定方法は、本実施の形態では、初期値の設定を基準にブースト量およびカットオフ周波数を一定量変化させて設定している。
【００７３】
第１のイコライザ特性設定手段２１では、第１のイコライザ特性最適化手段２３から出力される設定値に基づき、イコライザ設定を変更する。変更したイコライザ設定により特性が変わった電気信号を、第１の信号品質検出手段２２に出力する。
【００７４】
第１の信号品質検出手段２２では、前記同様、電気信号のジッタ値を演算し、第２の信号品質情報として第１のイコライザ特性最適化手段２３へ出力する（ステップＳ１５）。
【００７５】
第１のイコライザ特性最適化手段２３では、第１の信号品質情報と第２の信号品質情報とを比較する（ステップＳ１６）。すなわち、各信号品質情報におけるジッタ値を比較し、その値が良好な方（値が小さい方）を採用し、イコライザ特性の設定を行う。ここで、第１の信号品質情報の方がジッタ値が低い場合は、イコライザ特性の設定値を初期値に戻すが、第２の信号品質情報の方がジッタ値が低い場合はイコライザ特性は現状のままとする。
【００７６】
上記のような最適化処理を、第１の信号品質検出手段２２で演算されるジッタ値が最小になるまで、繰り返し行う（ステップＳ１７）。具体的には、第１のイコライザ特性最適化手段２３で設定可能なイコライザ設定値を段階的に変化させてジッタ値を演算し、今回演算したジッタ値が前回演算したジッタ値に対して大きくなった時、前回検出したジッタ値が最小であると判断する。ジッタ値が最小になった時のイコライザ設定値を、第１層におけるイコライザ最適値とする。
【００７７】
最適値が設定された時、第１のイコライザ特性設定手段２１からは最適値によってイコライザ特性が設定された電気信号を、出力端子４１からＡＤＣ５へ出力する。また、学習済みフラグ変更手段２４に対して、メモリ２５内の学習済みフラグを変更するよう命令する。これにより、学習済みフラグ変更手段２４は、メモリ２５内の学習済みフラグを変更する。また、第１のイコライザ特性設定手段２１は、最適値をメモリ２５に書き込む（ステップＳ１８）。これで、第１層の最適化学習が終了する（ステップＳ１９）。
【００７８】
次に、第２層の最適化処理について説明する。なお、第２層の最適化処理も、第１層と同様でディスク起動時に実行される。
【００７９】
第１層の最適化処理が終了した後、ディスク１の第２層から情報を読み出し、電気信号として入力端子４０へ入力される（ステップＳ２）。入力端子４０に入力された電気信号は、第２のイコライザ特性設定手段３１へ入力される。
【００８０】
第２のイコライザ特性設定手段３１では、第２層の電気信号が入力されると、まず、メモリ２５から最適値を読み出し、第２のイコライザ特性設定手段３１でイコライザ設定をする（ステップＳ３）。第２のイコライザ特性設定手段３１では、イコライザ設定に基づき、特性が変更された電気信号を第２の信号品質検出手段３２へ出力する。なお、メモリ２５に保存されていた最適値は、前述したように第１層の最適化学習の際に設定された最適値である。
【００８１】
第２の信号品質検出手段３２においては、入力される電気信号のジッタ値を演算する（ステップＳ４）。算出されたジッタ値は、第１の信号品質情報として第２のイコライザ特性最適化手段３３と比較手段３４とに出力される。
【００８２】
比較手段３４には、第１の信号品質情報と、メモリ２５から出力されるジッタ最適値とが入力される。比較手段２４にて、第１の信号品質情報であるジッタ値とジッタ基準値とを比較し（ステップＳ５）、その比較結果を最適化要否制御部３５へ出力する。最適化要否制御部３５では、比較手段３４における比較の結果、ジッタ値がジッタ基準値よりも小さい場合は、最適化学習は必要ないと判断し、第２のイコライザ特性設定手段３１に最適化不要命令を出力する。第２のイコライザ特性設定手段３１は、最適値のイコライザ設定による電気信号を出力端子４１からＡＤＣ５へ出力し、第２層の最適化処理が終了する（ステップＳ２５）。
【００８３】
一方、比較手段３４における比較の結果、ジッタ値がジッタ基準値よりも大きい場合は、最適化学習が必要であると判断し、第２のイコライザ特性設定手段３３へ最適化命令を出力する。
【００８４】
第２のイコライザ特性最適化手段３３は、最適化要否制御部３５から最適化命令が入力されると、第１の信号品質情報に基づいてイコライザ設定を変更し、「設定値」として第２のイコライザ特性設定手段３１に出力する（ステップＳ２１）。なお、「設定値」の設定方法は、最適値の設定を基準にブースト量およびカットオフ周波数を一定量変化させて設定している。
【００８５】
第２のイコライザ特性設定手段３１では、第２のイコライザ特性最適化手段３３から出力される設定値に基づき、イコライザ設定を変更する。変更したイコライザ設定により特性が変わった電気信号を、第２の信号品質検出手段３２に出力する。
【００８６】
第２の信号品質検出手段３２では、前記同様、電気信号のジッタ値を演算し、第２の信号品質情報として第２のイコライザ特性最適化手段３３へ出力する（ステップＳ２２）。
【００８７】
第２のイコライザ特性最適化手段３３では、第１の信号品質情報と第２の信号品質情報とを比較する（ステップＳ２３）。すなわち、各信号品質情報におけるジッタ値を比較し、その値が良好な方（値が小さい方）を採用し、イコライザ特性の設定を行う。ここで、第１の信号品質情報の方がジッタ値が低い場合は、イコライザ特性の設定値を元の状態（メモリ２５に保存された最適値）に戻すが、第２の信号品質情報の方がジッタ値が低い場合はイコライザ特性は現状のままとする。
【００８８】
上記のような最適化処理を、第２の信号品質検出手段３２で演算されるジッタ値が最小になるまで、繰り返し行う（ステップＳ２４）。ジッタ値が最小になった時のイコライザ設定値を、第２層における最適値とする。
【００８９】
最適値が設定された時、第２のイコライザ特性設定手段３１からは、最適値によってイコライザ特性が設定された電気信号を、出力端子４１からＡＤＣ５へ出力し、第２層の最適化学習は終了する（ステップＳ２５）。
【００９０】
なお、図示していないが、第２のイコライザ特性設定手段３１は、第２層におけるイコライザ特性の最適値を、メモリ２５に書き込んでもよい。
【００９１】
以上のように本実施の形態によれば、第２層の最適化学習の際、第１層の最適化学習において設定されたイコライザ最適値を用いてイコライザ設定をし、その時のジッタ値が低い場合は、第２層の最適化学習を省略するように構成したので、最適化学習にかかる時間を短縮することができる。さらに、本実施の形態のように、装置起動時に最適化学習を行っている場合は、装置の起動時間を短縮することができる。
【００９２】
なお、本実施の形態では、ジッタ値に基づきイコライザ設定をする構成としたが、エラー訂正数（エラーレート）に基づいてイコライザ設定をする構成としてもよい。例えば、エラー訂正数を所定の値（例えば、８ＥＣＣブロック分のＰＩ訂正エラー数１００個）と比較し、エラー訂正数が所定の値より大きい場合は第２の情報信号の品質が悪いと判断して第２のイコライザ特性最適化処理を行う。このようにエラーレートやエラー訂正数を用いる場合は、図１におけるエラーレート検出部１０で再生信号のエラーレートを検出し、検出したエラーレートを図２の第１の信号品質検出手段２２および第２の信号品質検出手段３２に入力する構成となる。
【００９３】
また、本実施の形態では、イコライザ最適値をメモリ２５に保存する構成としたが、ＤＶＤレコーダーなどのように、ディスクに対して情報の記録が可能な装置においては、最適値をディスクのリードインエリア（リードインエリアよりもディスクの内周であってもよい）またはリードアウトエリア（リードアウトエリアよりも内周のデータエリア、またはリードアウトエリアよりもディスクの外周であってもよい）に書き込む構成としても構わない。すなわち、ＤＶＤ−ＲＡＭ等の記録型ディスクの面方向の構成は、ディスクの内周から制御情報等を記録するリードインエリア、リードインエリアの外周側にユーザ情報信号を記録するデータエリア、データエリアの外周に冗長性を高めるためリードインエリアに記録した制御情報を記録するリードアウトエリアに大別される。このデータエリアにユーザ情報信号を記録する際に、記録線速度に対応した最適レーザパワーの学習を行うパワー校正領域（ＰＣＡ）を、一般的にリードインエリアまたはリードインエリアより内周側に備える（以下、内周ＰＣＡと称す）。また、近年高記録速度化の要請に応じてディスクを高速回転させるため、リードインエリアやリードインエリアより内周側のＰＣＡに記録学習結果を記録できないことが想定され、その対策としてリードアウトエリア、リードアウトエリアよりディスクの外周側、またはリードアウトエリア側のデータエリア（すなわち、データエリアの外周側）の何れかにもＰＣＡ（以下、外周ＰＣＡと称す）を備える構成が提案されている。そこで、例えばディスクを機器から搬出する際にメモリ２５に保存した上記最適値を内周ＰＣＡ及び／または外周ＰＣＡに記録する等、最適値をディスクに記録する構成であってもよい。このように構成することで、ディスク１を装置から取り出して同一装置あるいは別の装置に再装填した際に、最適化学習を省くことができるので、さらに起動時間を短縮することができる。また、内周ＰＣＡ及び／または外周ＰＣＡに最適値を記録することで、記録型ディスクの領域構成を変化させることなくイコライザ特性の最適値も記録することができる。
【００９４】
また、本実施の形態における回路構成やフローチャートの細部や数値は一例であり、他の構成や数値であっても同様の効果が得られる。
【産業上の利用可能性】
【００９５】
本発明は、情報層が複数層ある情報媒体に適用して有用なものである。
【図面の簡単な説明】
【００９６】
【図１】本発明の実施の形態による情報再生装置のブロック図
【図２】同実施の形態における信号補正部の構成を示すブロック図
【図３】同実施の形態によるイコライザ特性最適化処理のフローチャート
【図４】電気信号の周波数特性を示す特性図
【図５】従来のイコライザ特性設定装置のブロック図
【符号の説明】
【００９７】
１  ディスク
２  ピックアップ
４  信号補正部
２１  第１のイコライザ特性変更手段
２２  第１の信号品質検出手段
２３  第１のイコライザ特性最適化手段
２５  メモリ
３１  第２のイコライザ特性変更手段
３２  第２の信号品質検出手段
３３  第２のイコライザ特性最適化手段
３４  比較器
【図１】
2006331609.tif 000003
【図２】
2006331609.tif 000004
【図３】
2006331609.tif 000005
【図４】
2006331609.tif 000006
【図５】
2006331609.tif 000007